(57)【要約】【課題】      電力ケーブル内から絶縁紙を迅速且つ確実に離脱させて除去することができ、電力ケーブル全体の撤去作業をスムーズに行うことができる電力ケーブル内絶縁紙の除去方法とその除去装置とを提供する。【解決手段】  スパイラル管および導線束を引き抜いた電力ケーブル12の一端から内部に向けて、絶縁紙32aを長手方向に切断する切断刃44を備えた除去装置40を挿入し、これを進退(往復)移動させるだけで、電力ケーブル12の長さや絶縁紙32aの劣化の有無にかかわらず、電力ケーブル12内面から絶縁紙32aを迅速且つ確実に離脱させ除去することができ、これ以降の電力ケーブル12全体の撤去作業をスムーズに行うことができる。【選択図】  図４
2006050781.tif 000002
【特許請求の範囲】
【請求項１】
油送路を構成するスパイラル管，複数の導線からなる導線束，絶縁油を含浸した絶縁紙からなる油浸絶縁層，金属からなる遮蔽層および防食層が中心部から外側へ向けてこの順に形成された電力ケーブルの内部から前記絶縁紙を離脱・除去する方法であって、
（ａ）前記スパイラル管および前記導線束を引き抜いた前記電力ケーブルの一端からその内部に向けて前記絶縁紙を長手方向に切断する切断刃を備えた除去装置を挿入し、
（ｂ）前記除去装置を前記電力ケーブルの他端側へ向けて引っ張り、
（ｃ）然る後、前記除去装置を前記電力ケーブルの一端側へと引き戻すことを特徴とする電力ケーブル内絶縁紙の除去方法。
【請求項２】
長手方向両端部に操作線が接続された芯杆と、前記芯杆の側面にて放射状に取着された複数の切断刃とを備えた電力ケーブル内絶縁紙の除去装置であって、
前記切断刃は、芯杆の先端側から後端側に向けて刃高が高くなり、且つ前記切断刃の後端辺と前記芯杆の中心軸とのなす角度が直角または鋭角であることを特徴とする電力ケーブル内絶縁紙の除去装置。
【請求項３】
前記切断刃は、１または複数の段部を介して複数の刃が長手方向にて直列に配設されてなることを特徴とする請求項２に記載の電力ケーブル内絶縁紙の除去装置。
【発明の詳細な説明】
【技術分野】
【０００１】
この発明は、電力ケーブル内の絶縁紙を配線路から離脱させて除去する電力ケーブル内絶縁紙の除去方法およびその装置に関する。
【背景技術】
【０００２】
今日では、大容量送電のためのケーブルとして、図１０に示すようなＯＦケーブル(oil-filled cable：油浸絶縁電力ケーブル)(1)が使用されており、このＯＦケーブル(1)を地中に配線する際には、図１１に示すような管路(2)が使用されている。
【０００３】
ＯＦケーブル(1)は、油送路(A)を構成するスパイラル管(3)を有し、スパイラル管(3)の周囲には、複数の導線(4a)からなる導線束(4)が配置されている(図１０参照)。そして、導線束(4)の周囲には、カーボン紙(5a)を介して油浸クラフト紙(絶縁紙)からなる多層構造の油浸絶縁層(6)が形成されており、油浸絶縁層(6)の周囲には、カーボン紙(5b)を介して金属からなる遮蔽層(7)が形成されている。さらに、遮蔽層(7)の周囲には、金属層(8)を介してクロロプレンゴム等からなる防食層(9)が形成されている。
【０００４】
一方、管路(2)は、コンクリートからなるマンホール(2a)と、マンホール(2a)間に配設された複数の多孔管(2b)とで構成されている(図１１参照)。各多孔管(2b)は、コンクリートからなる本体(2c)を含み、本体(2c)の内部には、ＯＦケーブル(1)が配線される複数の配線路(2d)が形成されている。
【０００５】
そして、従来、配線路(2d)内に配線されたＯＦケーブル(1)を撤去する際には、チェーンブロックやウインチ等のような引抜装置を用いて、ＯＦケーブル(1)を力ずくで引き抜くようにしていた。
【０００６】
しかしながら、ＯＦケーブル(1)の長さが長い場合や、その他の事情で引抜抵抗が増大している場合には、引抜装置(チェーンブロック，ウインチ等)では対応できなかった。そのため、かかる場合には、ＯＦケーブル(1)を放棄するか、または、地上から地面を開削して撤去するしか方法がなく、既設管路(2)の有効活用を図れないという問題があった。
【０００７】
なお、ＯＦケーブル(1)の引抜抵抗が増大する原因としては、地盤沈下による管路(2)の蛇行や、近隣区域Ｂに注入された地盤硬化剤の配線路(2d)内への浸入や、含水による防食層(9)の膨張等が考えられる(図１１参照)。
【０００８】
このような問題を解決し得る技術として、ＯＦケーブル(1)を撤去する際に、まず、既設管路(2)の配線路(2d)からスパイラル管(3)を引き抜き、続いて少なくとも１本の導線(4a)を導線束(4)から離脱させて、これを引き抜き、その後、残りの導線(4a)を引き抜く。そして、油浸絶縁層(6)を引き抜いた後、遮蔽層(7)を軸方向へ延びる切断線において切断し、遮蔽層(7)，金属層(8)および防食層(9)を縮径させて、これらを引き抜く技術が知られている（例えば、特許文献１参照。）。
【０００９】
かかる技術によれば、ＯＦケーブル(1)を構成する各部材を内側から順次除去するので、ＯＦケーブル(1)の引抜抵抗が大きい場合でも、引抜装置で十分に対応できるようになる。
【００１０】
しかしながら、油浸絶縁層(6)を形成する油浸クラフト紙(絶縁紙)が遮蔽層(7)に固着し、或いは、配線路(2d)内で寸断された場合には、ＯＦケーブル(1)内から油浸絶縁層(6)を完全に離脱させることができず、これを無理に引き抜こうとすれば、ＯＦケーブル(1)内に残った油浸クラフト紙(絶縁紙)がＯＦケーブル(1)の内部を閉塞するようになる。ここで、ＯＦケーブル(1)の長さが短い場合には、先端に有刺鉄線を取り付けたロッドなどでＯＦケーブル(1)内部に詰まった油浸クラフト紙(絶縁紙)を掻き出すことができるが、このような作業を行うには多くの時間と労力とが必要になる。一方、ＯＦケーブル(1)が長い場合には、従来と同様に、ＯＦケーブル(1)を放棄するか、または、地上から地面を開削して撤去するしか方法がなく、既設管路(2)の有効活用を図れないという問題があった。
【特許文献１】特開２００３−３２４８１４号公報（第２−５頁、第９−１２図）
【発明の開示】
【発明が解決しようとする課題】
【００１１】
それゆえに、本発明の主たる課題は、不要となり放棄された電力ケーブルを撤去する際、電力ケーブル内から(油浸絶縁層を構成する)絶縁紙を迅速且つ確実に離脱させて除去することができ、電力ケーブル全体の撤去作業をスムーズに行うことができる電力ケーブル内絶縁紙の除去方法とその除去装置とを提供することである。
【課題を解決するための手段】
【００１２】
請求項１に記載した発明は、「油送路(A)を構成するスパイラル管(26)，複数の導線(28a)からなる導線束(28)，絶縁油を含浸した絶縁紙(32a)からなる油浸絶縁層(32)，金属からなる遮蔽層(34)および防食層(38)が中心部から外側へ向けてこの順に形成された電力ケーブル(12)の内部から絶縁紙(32a)を離脱・除去する方法であって、（ａ）スパイラル管(26)および導線束(28)を引き抜いた電力ケーブル(12)の一端からその内部に向けて絶縁紙(32a)を長手方向に切断する切断刃(44)を備えた除去装置(40)を挿入し、（ｂ）除去装置(40)を電力ケーブル(12)の他端側へ向けて引っ張り、（ｃ）然る後、除去装置(40)を電力ケーブル(12)の一端側へと引き戻す」ことを特徴とする電力ケーブル内絶縁紙の除去方法である。
【００１３】
この発明では、まず、スパイラル管(26)および導線束(28)を引き抜いた電力ケーブル(12)の一端からその内部に絶縁紙(32a)を切断する除去装置(40)を挿入し、この除去装置(40)を電力ケーブル(12)の他端側へ向けて引っ張る。すると、この除去装置(40)は油浸絶縁層(32)を構成する絶縁紙(32a)を長手方向に切断しながら電力ケーブル(12)の内部へと進んで行くが、この際、切断刃(44)が切断抵抗の低い部分を選択的に切断するため、あるいは除去装置(40)に対する引張応力のかかり方が変化するため、除去装置(40)は左右に回転しながら波状あるいは螺旋状に絶縁紙(32a)を切断する。
【００１４】
そして、電力ケーブル(12)内のある程度の位置まで進入した除去装置(40)を電力ケーブル(12)の一端側(すなわち、除去装置(40)を挿入した端部側)へと引き戻す。すると、絶縁紙(32a)は波状あるいは螺旋状に切断されているため、除去装置(40)の切断刃(44)は、絶縁紙(32a)の切断部分に沿って引き戻されるのではなく、その後端が切断した絶縁紙(32a)に引っ掛かるようになる。このため、切断された絶縁紙(32a)が除去装置(40)に絡まって引き千切られ、この除去装置(40)と共に電力ケーブル(12)の一端側へと引き抜かれるようになる。
【００１５】
したがって、電力ケーブル(12)内に除去装置(40)を挿入し、上記手順(除去装置(40)の引張りと引戻し)を繰り返すことによって、電力ケーブル(12)内の絶縁紙(32a)を当該ケーブル(12)の一端側から掻き出し、完全に除去することができる。
【００１６】
請求項２に記載した発明は、請求項１に記載の「電力ケーブル内絶縁紙の除去方法」を実施するための除去装置(40)に関するものであり、「長手方向両端部に操作線(48a)(48b)が接続された芯杆(42)と、芯杆(42)の側面にて放射状に取着された複数の切断刃(44)とを備えた電力ケーブル内絶縁紙の除去装置(40)であって、切断刃(44)は、芯杆(42)の先端(42a)側から後端(42b)側に向けて刃高が高くなり、且つ切断刃(44)の後端辺(44d)と芯杆(42)の中心軸(42c)とのなす角度(θ)が直角または鋭角である」ことを特徴とする。
【００１７】
この発明では、芯杆(42)に取り付けられた切断刃(44)の刃高が芯杆(42)の先端(42a)側から後端(42b)側に向けて高くなっている、つまり切断刃(44)が芯杆の先端(42a)側から後端(42b)側に向けてフレア状に広がるようになっているので、スパイラル管(26)および導線束(28)を引き抜いた電力ケーブル(12)の内部に除去装置(40)を(芯杆(42)の先端(42a)側から)容易に挿入することができる。
【００１８】
また、切断刃(44)の後端辺(44d)と芯杆(42)の中心軸(42c)とのなす角度(θ)が直角または鋭角となっているので、電力ケーブル(12)の内部に挿入した除去装置(40)を引き戻す際、切断刃(44)の後端辺(44d)と切断した絶縁紙(32a)とが強固に係合するようになる。換言すると、この後端辺(44d)が楔の役割を果たすようになる。このため、切断した絶縁紙(32a)が除去装置(40)から抜け落ちることがなく、これを除去装置(40)と共に電力ケーブル(12)の一端側まで引き抜くことができる。
【００１９】
請求項３に記載した発明は、請求項２に記載の除去装置(40)において、「切断刃(44)は、１または複数の段部(44a)を介して複数の刃(44b)(44c)が長手方向にて直列に配設されてなる」ことを特徴とするものである。
【００２０】
この発明では、除去装置(40)を電力ケーブル(12)内に挿入すると、芯杆(42)の先端(42a)側の刃(44b)が絶縁紙(32a)で構成された油浸絶縁層(32)の内面側に切れ目を入れ、然る後、後端(42b)側の刃(44c)が当該切れ目に沿って油浸絶縁層(32)の径方向全体を切断する。このため、油浸絶縁層(32)を構成する絶縁紙(32a)をスムーズに切断することができる。
【００２１】
また、電力ケーブル(12)内に挿入した除去装置(40)を引き抜く際、切断刃(44)の後端辺(44d)のみならず、段部(44a)でも切断した絶縁紙(32a)と強固に係合することができるので、切断した絶縁紙(32a)をより確実に電力ケーブル(12)の一端側まで引き抜くことができる。
【発明の効果】
【００２２】
本発明によれば、スパイラル管および導線束を引き抜いた電力ケーブルの一端から内部に向けて除去装置を挿入し、これを進退(往復)移動させるだけで、電力ケーブルの長さや絶縁紙の劣化の有無にかかわらず、電力ケーブル内面から絶縁紙を迅速且つ確実に離脱させ除去することができ、これ以降の電力ケーブル全体の撤去作業をスムーズに行うことができる。
【００２３】
したがって、電力ケーブルを放棄したり、地上から地面を開削して撤去する必要がなく、既設管路の有効活用を図ることができる。
【発明を実施するための最良の形態】
【００２４】
この発明の一実施例の「電力ケーブル内絶縁紙の除去方法」は、地中に埋設された管路(10)内に挿通され、長年の使用等により老朽化した電力ケーブルとりわけＯＦケーブル(12)を撤去する際に、ＯＦケーブル(12)の油浸絶縁層(32)をＯＦケーブル(12)内から迅速且つ確実に離脱させて除去するために行う方法である。
【００２５】
ここで、管路(10)は、図１に示すように、コンクリートからなるマンホール(14)と、マンホール(14)間に配管された複数の多孔管(16)とを含む。各多孔管(16)は、図２に示すように、コンクリートからなる本体(18)を含み、本体(18)の底部には、コンクリートからなる台座(20)が形成されている。また、本体(18)の内部には、複数(この実施例では４本)の配線孔(22)が形成されている。したがって、複数の多孔管(16)によってマンホール(14)どうしを連通した状態(図１)では、マンホール(14)間にＯＦケーブル(12)を配線するための４本の配線路(24)が確保される。
【００２６】
ＯＦケーブル(12)は、図３に示すように、スパイラル管(26)の周囲に、導線束(28)，カーボン紙(30a)，油浸絶縁層(32)，カーボン紙(30b)，遮蔽層(34)，金属層(36)および防食層(38)がこの順に形成された多層構造を有する。
【００２７】
スパイラル管(26)は、絶縁油が流される油送路(A)を構成するものであり、亜鉛メッキ鋼板やステンレス等のような金属からなる帯状体を螺旋状に巻回することによって形成されている。導線束(28)は、送電路を構成するものであり、銅などの導電性金属からなる複数の導線(28a)をスパイラル管(26)の外周面に沿わせて層状に配置することによって形成されている。
【００２８】
油浸絶縁層(32)は、導線束(28)と外部とを絶縁するものであり、導線束(28)に巻き付けられたカーボン紙(30a)の外面に、絶縁油を含浸させた油浸クラフト紙からなる絶縁紙(32a)を多層に巻き付けることによって形成されている。
【００２９】
遮蔽層(34)は、近隣に配設されている通信線等への電圧誘導(通信ノイズの原因)を防止するものであり、油浸絶縁層(32)に巻き付けられたカーボン紙(30b)の周囲に鉛またはアルミニウム等のような金属材料を押し出すことによって形成されている。金属層(36)は、遮蔽層(34)の外面に真鍮またはステンレス等からなる金属テープを巻き付けることによって形成されている。防食層(38)は、ＯＦケーブル(12)の内部腐食を防止するものであり、金属層(36)の周囲にクロロプレンゴム等のような樹脂材料を押し出すことによって形成されている。
【００３０】
このようなＯＦケーブル(12)を管路(10)内に配線した状態では、図２に示すように、ＯＦケーブル(12)の外面と配線路(24)の内面との間に所定の隙間が確保されている。そのため、配線した直後にＯＦケーブル(12)を撤去する場合には、配線路(24)からＯＦケーブル(12)を容易に引き抜くことができる。
【００３１】
しかし、配線後に長期間が経過した場合には、その間に生じた管路(10)の蛇行や、配線路(24)へ浸入した地盤硬化剤や、水を含んで膨張した防食層(38)の膨張等によって、ＯＦケーブル(12)の引抜抵抗が増大し、ＯＦケーブル(12)を容易に引き抜くことができなくなる場合があり、かかる場合に、本実施例の「電力ケーブル内絶縁紙の除去方法」がＯＦケーブル撤去作業の一環として用いられる。
【００３２】
この「電力ケーブル内絶縁紙の除去方法」は、図４に示すような除去装置(40)によって実行される。
【００３３】
除去装置(40)は、鉄またはアルミニウム等の金属からなる短尺状の芯杆(42)を有する。この芯杆(42)の先端(42a)は、端面に向けてその外径が縮径するテーパー状に形成されており、スパイラル管(26)および導線束(28)を引き抜いたＯＦケーブル(12)内に挿入しやすい形状となっている。
【００３４】
そして、芯杆(42)の側面には、芯杆(42)の長手方向に沿って延びる複数(この実施例では４つ)の切断刃(44)が放射状に取り付けられている(図５参照)。
【００３５】
切断刃(44)は、段部(44a)を介して複数(この実施例では２つ)の刃(44b)(44c)が長手方向にて直列に配設された構造であり、切断刃(44)全体として芯杆(42)の先端(42a)側から後端(42b)側に向けて刃高が高くなるように構成されている。また、各切断刃(44)の刃高が最も高い後端部を通る仮想円の直径は、油浸絶縁層(32)の外径と略同等となるように設定されている。さらに、切断刃(44)の後端辺(44d)と芯杆(42)の中心軸(42c)とのなす角度(θ)が直角となるように形成されている。
【００３６】
以上のように構成された除去装置(40)の芯杆(42)の先端(42a)には、管状の接続スリーブ(46)を介して、ワイヤや鋼線などからなる操作線(48a)の一端が強固に圧縮接続されており、芯杆(42)の後端(42b)には、係止リング(50)が取り付けられ、この係止リング(50)に操作線(48b)の一端が係止・接続されている。ここで、芯杆(42)先端(42a)側における操作線(48a)の接続をこのようにすることで、操作線(48a)接続部分の外径を極小化することができる。このため、(芯杆(42)の先端(42a)部分の形状と相俟って) 除去装置(40)をＯＦケーブル(12)内に容易に挿入することができる。
【００３７】
また、除去装置(40)に取り付けられた操作線(48a)および(48b)の他端は、それぞれ別のマンホール(14)内に配設されたレバーブロックやウインチなどの引抜装置(52)および(54)に接続され、芯杆(42)の先端(42a)側に接続された操作線(48a)には、張力計(56)が取り付けられている(図６参照)。
【００３８】
次に、上述した除去装置(40)を用いて、本発明の「電力ケーブル内絶縁紙の除去方法」を実行する際には、まず、一のマンホール(14)内においてＯＦケーブル(12)を切断するとともに、他のマンホール(14)内においてＯＦケーブル(12)を切断し、撤去すべきＯＦケーブル(12)を確保する。ただし、ＯＦケーブル(12)が接続部材で接続されている場合には、接続部材においてＯＦケーブル(12)を切り離すだけでよく、これを切断する必要はない。
【００３９】
続いて、スパイラル管(26)の端部を引抜装置(52)もしくは(54)のいずれか一方の係止部に係止し、引抜装置(52)もしくは(54)によってスパイラル管(26)を引き抜く。このとき、スパイラル管(26)の内側には油送路(A)が確保されているので、スパイラル管(26)は縮径されながら引き抜かれることになる。したがって、スパイラル管(26)の引抜抵抗は比較的小さく、この引抜作業は容易である。なお、ＯＦケーブル(12)の長さが短い場合には、人力(手作業)でスパイラル管(26)を引き抜くようにしてもよい。
【００４０】
スパイラル管(26)を除去すると、ＯＦケーブル(12)の中心部に確保された空部(油送路Ａを含む)に対して導線束(28)を構成する導線(28a)が露出される。しかし、各導線(28a)は互いに密着されているため、単に引っ張るだけではこれを引き抜くことはできない。そこで、導線束(28)を除去する工程では、まず、少なくとも１本の導線(28a)を導線束(28)から離脱させることにより残りの導線(28a)の結束を緩め、その後、残りの導線(28a)を引き抜くようにする。すると、ＯＦケーブル(12)の中心部に確保された空部にカーボン紙(30a)を介して油浸絶縁層(32)が露出される。
【００４１】
続いて、スパイラル管(26)および導線束(28)が引き抜かれたＯＦケーブル(12)に、除去装置(40)を取着する。具体的には、導線束(28)を引き抜く際、ＯＦケーブル(12)内を通過する導線束(28)の端部に、芯杆(42)の先端(42a)側に接続した操作線(48a)の他端を連結する。これにより、ＯＦケーブル(12)内からの導線束(28)の引き抜きが完了するのと同時に、ＯＦケーブル(12)内への操作線(48a)の挿通が完了する。次いで、ＯＦケーブル(12)内を挿通させた操作線(48a)の他端を引抜装置(52)に係止し、操作線(48a)上に張力計(56)を取り付けると共に、芯杆(42)の後端(42b)側に接続した操作線(48b)の他端を引抜装置(54)に係止する。
【００４２】
そして、引抜装置(54)をフリーの状態にして引抜装置(52)を作動させると、引抜装置(52)によって操作線(48a)が巻き取られ、ＯＦケーブル(12)の一端(図６における右端)からその内部に除去装置(40)が挿入され、この除去装置(40)がＯＦケーブル(12)の他端側(図６における左端)へ向けて引っ張られる。すると、(芯杆(42)の先端(42a)側からＯＦケーブル(12)内に挿入された)除去装置(40)は油浸絶縁層(32)を構成する絶縁紙(32a)を長手方向に切断しながらＯＦケーブル(12)の内部へと進んで行く(図７(a)参照)。この際、切断刃(44)が切断抵抗の低い部分を選択的に切断するため、あるいは引抜装置(52)で操作線(48a)を巻き取る際に除去装置(40)に対する引張応力のかかり方が変化するため、除去装置(40)は左右に回転しながら波状あるいは螺旋状に絶縁紙(32a)を切断する。ここで、切断刃(44)は、段部(44a)を介して２つの刃(44b)(44c)が長手方向にて直列に配設された構造となっているので、除去装置(40)が油浸絶縁層(32)を切断する際には、まず、芯杆(42)の先端(42a)側の刃(44b)が油浸絶縁層(32)の内面側に切れ目を入れ、然る後、後端(42b)側の刃(44c)が当該切れ目に沿って油浸絶縁層(32)の径方向全体を切断する。このため、油浸絶縁層(32)を構成する絶縁紙(32a)をスムーズに切断することができる。
【００４３】
続いて、張力計(56)で計測される張力が所定の値を超えた時点で、引抜装置(52)をフリーの状態にして引抜装置(54)を作動させる。すると、ＯＦケーブル(12)内のある程度の位置まで進入していた除去装置(40)がＯＦケーブル(12)の一端側(すなわち、除去装置(40)を挿入した端部側)へと引き戻される(図７(b)参照)。この時、絶縁紙(32a)は波状あるいは螺旋状に切断されているため、除去装置(40)の切断刃(44)は、絶縁紙(32a)の切断部分に沿って引き戻されるのではなく、その後端辺(44d)が切断した絶縁紙(32a)に引っ掛かるようになる。このため、切断された絶縁紙(32a)が除去装置(40)に絡まって引き千切られ、この除去装置(40)と共にＯＦケーブル(12)の一端側へと引き抜かれるようになる。
【００４４】
ここで、切断刃(44)の後端辺(44d)と芯杆(42)の中心軸(42c)とのなす角度(θ)が直角となっているので、ＯＦケーブル(12)の内部に挿入した除去装置(40)を引き戻す際、切断刃(44)の後端辺(44d)と切断した絶縁紙(32a)とが強固に係合するようになる。換言すると、この後端辺(44d)が楔の役割を果たすようになる。このため、切断した絶縁紙(32a)が除去装置(40)から抜け落ちることがなく、これを除去装置(40)と共にＯＦケーブル(12)の一端側まで引き抜くことができる。また、後端辺(44d)のみならず、段部(44a)でも切断した絶縁紙(32a)を強固に係合することができるので、切断した絶縁紙(32a)をより確実にＯＦケーブル(12)の一端側まで引き抜くことができる。
【００４５】
以上より、ＯＦケーブル(12)内に除去装置(40)を挿入し、上記手順を繰り返すことによって、ＯＦケーブル(12)内の絶縁紙(32a)を当該ケーブル(12)の一端側から掻き出し、完全に除去することができる。
【００４６】
このように本実施例によれば、スパイラル管(26)および導線束(28)を引き抜いたＯＦケーブル(12)の一端から内部に向けて除去装置(40)を挿入し、これを進退(往復)移動させるだけで、ＯＦケーブル(12)内面から絶縁紙(32a)を迅速且つ確実に離脱させ除去することができ、これ以降のＯＦケーブル(12)全体の撤去作業をスムーズに行うことができる。
【００４７】
したがって、ＯＦケーブル(12)を放棄したり、地上から地面を開削して撤去する必要がなく、既設管路(10)の有効活用を図ることができる。
【００４８】
なお、上述の実施例では、切断刃(44)として段部(44a)を介して２つの刃(44b),(44c)が長手方向にて直列に配設された構造のものを示したが、この切断刃は、図８に示すように、段部を設けず、１つの刃で構成するようにしてもよいし、(図示しないが)段部を複数設け、３つ以上の刃で構成するようにしてもよい。
【００４９】
また、この切断刃(44)に関し、後端辺(44d)と芯杆(42)の中心軸(42c)とのなす角度が直角となるように構成する例を示したが、図９に示すように、切断刃(44)の後端辺(44d)と芯杆(42)の中心軸(42c)とのなす角度が鋭角となるように構成してもよい。このようにすることで、後端辺(44d)と切断した絶縁紙(32a)とをより強固に係合させることができ、切断した絶縁紙(32a)をより確実にＯＦケーブル(12)の一端側へと引き抜くことができる。
【００５０】
さらに、芯杆(42)の側面に４つの切断刃(44)を放射状に取り付ける例を示したが、複数の切断刃(44)が芯杆(42)の側面にて放射状に取り付けられるものであれば、切断刃(44)の数はこれに限定されるものではなく、３つ以下であってもよいし、５つ以上であってもよい。
【図面の簡単な説明】
【００５１】
【図１】ＯＦケーブル(電力ケーブル)が挿通される管路を示す概略図である。
【図２】図１におけるII−II線断面図である。
【図３】ＯＦケーブル(電力ケーブル)を示す斜視図である。
【図４】本発明の一実施例の除去装置を示す概略図である。
【図５】図４におけるI−I線断面図である。
【図６】本発明における一実施例の除去装置の取付構造を示す概略図である。
【図７】本発明における一実施例の除去装置の動作を示す説明図である。
【図８】本発明の他の実施例の除去装置を示す概略図である。
【図９】本発明の他の実施例の除去装置を示す概略図である。
【図１０】ＯＦケーブル(電力ケーブル)を示す横断面図である。
【図１１】ＯＦケーブル(電力ケーブル)が挿通された管路(不等沈下あり)を示す概略図である。
【符号の説明】
【００５２】
(10)…管路
(12)…ＯＦケーブル(電力ケーブル)
(14)…マンホール
(16)…多孔管
(24)…配線路
(26)…スパイラル管
(28)…導線束
(32)…油浸絶縁層
(32a)…油浸クラフト紙
(34)…遮断層
(38)…防食層
(40)…除去装置
(42)…芯杆
(42a)…(芯杆の)先端
(42b)…(芯杆の)後端
(42c)…(芯杆の)中心軸
(44)…切断刃
(44a)…段部
(44d)…(切断刃)の後端辺
(46)…接続スリーブ
(48a)，(48b)…操作線
(50)…係止リング
(52)，(54)…引抜装置
(56)…張力計
【図１】
2006050781.tif 000003
【図２】
2006050781.tif 000004
【図３】
2006050781.tif 000005
【図４】
2006050781.tif 000006
【図５】
2006050781.tif 000007
【図６】
2006050781.tif 000008
【図７】
2006050781.tif 000009
【図８】
2006050781.tif 000010
【図９】
2006050781.tif 000011
【図１０】
2006050781.tif 000012
【図１１】
2006050781.tif 000013